(57)【要約】【課題】筐体の上面部と底面部とをネジ締めによって締結する際に、部品数及び組み立て工数を削減でき、軽量で剛性の高い携帯端末機器の筐体を提供する。【解決手段】内側部が板金部２、外側部が樹脂部１４で形成され、板金部２に穴を有する板金絞り部３が形成された上面部１と、内側部が金属、外側部が樹脂で形成され、上面部１の穴に対応する部位に貫通孔を有する底面部６と、を有し、貫通孔の外観側から穴に対してネジ締めを行うことによって上面部１と底面部６とが締結される。【選択図】図２
2007281069.tif 000002
【特許請求の範囲】
【請求項１】
内側部が金属、外側部が樹脂で形成され前記金属に穴を有する板金絞り部が形成された上面部と、前記穴に対応する部位に貫通孔を有する底面部と、を有し、前記底面部の前記貫通孔の外観側から前記上面部の前記穴に対してネジ締めを行うことによって前記上面部と前記底面部とが締結されることを特徴とする携帯端末機器の筐体。
【請求項２】
前記上面部は、金属材と成形用樹脂とが一体成型されて形成されていることを特徴とする請求項１に記載の携帯端末機器の筐体。
【請求項３】
前記底面部の一部が金属によって形成されていることを特徴とする請求項１又は２に記載の携帯端末機器の筐体。
【請求項４】
前記底面部は、金属材と成形用樹脂とが一体成型されて形成されていることを特徴とする請求項３に記載の携帯端末機器の筐体。
【請求項５】
前記穴がネジ止め用の穴であることを特徴とする請求項１乃至４のいずれか１項に記載の携帯端末機器の筐体。
【請求項６】
前記穴がバーリング加工によって設けられていることを特徴とする請求項１乃至４のいずれか１項に記載の携帯端末機器の筐体。
【請求項７】
前記ネジ締めがタップタイトによって行われることを特徴とする請求項１乃至４のいずれか１項に記載の携帯端末機器の筐体。
【発明の詳細な説明】
【技術分野】
【０００１】
本発明は携帯端末機器の筐体に関し、特に剛性に優れた携帯端末機器の筐体に関する。
【背景技術】
【０００２】
携帯端末機器の筐体は上面部及び底面部からなり、この上面部及び底面部をネジ等によって締結することで構成される。携帯端末機器の筐体は金属及び／又は樹脂を成型することによって作成される。携帯端末機器の筐体を樹脂によって作成する場合、電磁的シールドを確保するためにカーボン又は金属粉等を混入させた樹脂によって筐体を作成する方法が考えられる。また、電磁的シールド及び電気的なグランドを確保し、外部からの衝撃に対する耐性を上げるために、樹脂によって筐体を作成し、この筐体の内面に金属を蒸着する方法も考えられる。しかしながら、樹脂にカーボン又は金属粉等を混入させると樹脂自体の強度が低下するという問題点がある。また、携帯端末機器の筐体を樹脂のみによって作成すると、成型の際に成型用金型内に溶融樹脂の流動性を確保するため、所定の必要最低限度の板厚が必要になり、薄型化が難しいという問題点もある。
【０００３】
この問題点を解決すべく、特許文献１に開示された電子機器の筐体は、外側部が金属によって形成され、外側部の内部に配置される内側部が金属又は樹脂によって形成され、これらの外側部及び内側部によって筐体が構成されている。しかしながら、電子機器の筐体の外側部及び内側部が金属によって形成されると、電子機器が送受信用のアンテナを内蔵している場合は、このアンテナの感度を低下させてしまうという問題点がある。
【０００４】
また、金属板と樹脂とを一体成型することによって携帯端末機器の筐体の内側部を金属、外側部を樹脂で形成する技術が開示されている（例えば特許文献２及び３）。これにより、携帯端末機器の筐体の薄型化、剛性及び電気特性の向上を図っている。特許文献２及び３に開示された技術における携帯端末機器の筐体において、数字キー側筐体の上面部を裏側から見た状態を示す模式的斜視図である。図３に示すように、インサート成型等によって樹脂部１４と板金部１２とが一体成型され、モールドケース１１が形成されている。モールドケース１１の内部にはネジ止め用ボス１７が複数個設けられている。ネジ止め用ボス１７は、板金部１２と成型用樹脂とを一体成型する際に成型用樹脂によって設けられている。
【０００５】
そして、モールドケース１１とモールドケース１１を覆設する形状を有するボトムケース（図示せず）とが対向して重ね合わされ、ネジ（図示せず）によってボトムケース（図示せず）に設けられた貫通孔の外観側からモールドケース１１に設けられたネジ止め用ボス１７にネジ締めが行われることによってモールドケース１１とボトムケース（図示せず）とが締結されるというものである。
【０００６】
【特許文献１】特開２００１−２６７７６２号公報
【特許文献２】特開平７−５８４７６号公報
【特許文献３】特開２００５−３１８１６０号公報
【発明の開示】
【発明が解決しようとする課題】
【０００７】
しかしながら、上述の特許文献２及び３に開示された携帯端末機器の筐体並びに特許文献１において、外側部が金属によって形成され、内側部が樹脂によって形成された電子機器の筐体は、ネジ止め用ボス１７が樹脂製であるため、ネジ締めの際にネジ空転が起こったり、筐体に外部から衝撃が加わったときにネジ締結部が破損したりする等の問題点がある。これらの問題点を解決するためにネジ止め用ボス１７にインサートナットを入れる必要があり、このため組み立て工数が増加し、また部品が増加するため筐体が軽量化できないという問題点がある。
【０００８】
本発明はかかる問題点に鑑みてなされたものであって、筐体の上面部と底面部とをネジ締めによって締結する際に、部品数及び組み立て工数を削減でき、軽量で剛性の高い携帯端末機器の筐体を提供することを目的とする。
【課題を解決するための手段】
【０００９】
本発明に係る携帯端末機器の筐体は、内側部が金属、外側部が樹脂で形成され前記金属に穴を有する板金絞り部が形成された上面部と、内側部が金属、外側部が樹脂で形成され前記穴に対応する部位に貫通孔を有する底面部と、を有し、前記貫通孔の外観側から前記穴に対してネジ締めを行うことによって前記上面部と前記底面部とが締結されることを特徴とする。筐体の金属部に形成された穴に対してネジ締めを行うことにより、従来技術において樹脂製のネジ止め用ボスに対してネジ締めを行うよりも剛性を向上させることができ、また、インサートナットが不要になるため部品数が減少し、軽量化でき、また組み立て工数を削減することができる。
【００１０】
前記上面部及び前記底面部は、金属材と成形用樹脂とが一体成型されて形成されていることが好ましい。これにより、金属と樹脂とを接着するよりも剛性及び耐久性に優れ、樹脂の成形容易性及び可撓性等と金属の剛性及び耐熱性等を組み合わせ、相互補完することで薄型化及び加工の精巧化が可能になる。
【００１１】
前記底面部の一部が金属によって形成されていてもよい。
また、前記底面部は、金属材と成形用樹脂とが一体成型されて形成されていてもよい。これにより筐体の剛性を向上させることができ、また、底面部を全て樹脂によって形成するよりも底面部の厚さを小さくできることができるため、携帯端末機器の筐体の厚さを低減することができる。
【００１２】
前記穴がネジ止め用の穴であってもよい。
【００１３】
また、前記穴がバーリング加工によって設けられていてもよい。これにより、バーリングに対してネジ締めを行う場合は、ネジ止め用の穴に対してネジ締めを行う場合よりも、ネジの噛み込み量が少なくてよいため、板金絞り部の高さを低くすることができ、携帯端末機器の筐体厚さを低減させることができる。
【００１４】
前記ネジ締めがタップタイトにより行われてもよい。これにより、板金絞り部に下穴を形成すれば、タップタイトで上面部と下面部とを締結するときに雌ネジ加工とネジ締めとを同時に行うことができ、組み立て工数を低減することができる。
【発明の効果】
【００１５】
本発明によれば、携帯端末機器の筐体の上面部と底面部とをネジ締めによって締結する際に金属部に対しネジ締めを行うことにより、従来技術において樹脂製のネジ止め用ボスにインサートナットを挿入し、これに対してネジ締めを行うよりも剛性を向上させることができる。また、インサートナットが不要であるため部品数が減少し、軽量化でき、組み立て工数を削減することができる。
【発明を実施するための最良の形態】
【００１６】
次に、本発明の実施形態について、添付の図面を参照して具体的に説明する。図１は本発明の第１実施形態に係る携帯端末機器の筐体において、数字キー側筐体の上面部を裏側から見た状態を示す模式的斜視図である。金属材としての板金部２と成形用樹脂とがインサート成型等によって一体成型され、上面部としてのモールドケース１が形成されている。モールドケース１において、外側部としての樹脂部４は凹形状を有しており、底面に矩形の開口部が設けられている。樹脂部４の凹部底面には内側部としての板金部２が嵌め込まれ、板金部２には樹脂部４の４隅を含む長手方向の辺に複数個の板金絞り部３が設けられ、板金部２の周囲が樹脂部４で覆われるように構成されている。また、樹脂部４の底面に設けられた矩形の開口部から板金部２が外部に露出している。板金絞り部３は板金部２の一部であり、板金部２を絞り加工することで形成され、板金絞り部３には穴としてネジ止め用の穴が設けられている。
【００１７】
図２は本発明の第１実施形態に係る携帯端末機器の筐体において、数字キー側筐体の底面部（ボトムケース６）と上面部（モールドケース１）とを締結する状態を示す模式的斜視図である。ボトムケース６はモールドケース１を覆設する形状を有し、モールドケース１の板金絞り部３に設けられたネジ止め用の穴に対応する部位に貫通孔が設けられている。ボトムケース６に設けられた貫通孔から板金絞り部３に設けられたネジ止め用の穴にネジ５がネジ締めされることにより、モールドケース１とボトムケース６とが締結される。
【００１８】
次に、上述の如く構成された本実施形態に係る携帯端末機器の筐体の動作について説明する。モールドケース１とボトムケース６とを対向させて重ね合わせ、ネジ５をボトムケース６の貫通孔の外観面側から挿入し、板金絞り部３に設けられたネジ止め用の穴にネジ締めを行う。これにより、モールドケース１とボトムケース６とを締結する。
【００１９】
従来技術においてモールドケース１１の樹脂部１１に設けられた樹脂製のネジ止め用ボス１７にネジ締めを行う場合、剛性を向上させるためにインサートナットを挿入する必要があるが、本実施形態においてはネジ止め用の穴が板金絞り部３に設けられているため、インサートナットは不要であり、部品数を低減することができる。また、ネジ止め締結部が全て金属によって形成されているため、樹脂製のネジ止め用ボス１７にネジ締めを行うよりも剛性が向上する。
【００２０】
次に、本発明の第２実施形態について説明する。本実施形態においてはボトムケース６が、第１実施形態におけるモールドケース１と同様、外側部を樹脂、内側部を金属で一体成型されている。これにより、ボトムケース６の厚さを小さくできることによって携帯端末機器の筐体の厚さを低減することができ、筐体の剛性を向上させることができる。
【００２１】
次に、本発明の第３実施形態について説明する。上述の第１実施形態は板金絞り部３にネジ止め用の穴が設けられているのに対し、本実施形態においては板金絞り部３にバーリング加工が施されており、それ以外は第１実施形態と同様の構造を有している。
【００２２】
板金絞り部３にバーリング加工が施され、これによって設けられた穴にネジ止めを行う場合、ネジ止め用の穴にネジ止めを行う場合よりもネジの噛み込み量が少なくてよい。これにより板金絞り部３の高さを低くすることができるため、携帯端末機器の筐体厚さを低減させることができる。
【００２３】
次に、本発明の第４実施形態について説明する。上述の第１実施形態は板金絞り部３にネジ止め用の穴が設けられ、モールドケース１とボトムケース６とがネジ５によって締結されているのに対し、本実施形態においてはモールドケース１とボトムケース６とをタップタイトによって締結する点で異なり、それ以外は第１実施形態と同様の構造を有している。
【００２４】
タップタイトによってモールドケース１とボトムケース６とを締結する場合、板金部２に設けられた板金絞り部３に下穴を設ければ、タップタイトでモールドケース１とボトムケース６とを締結するときに雌ネジ加工とネジ締めとを同時に行うことができ、組み立て工数を低減することができる。
【００２５】
上述のように、本発明によれば、筐体の上面部と底面部とをネジ締めによって締結する際に、金属部に対しネジ締めを行うことにより、従来技術において樹脂製のネジ止め用ボスにネジ締めを行うよりも剛性を向上させることができ、またインサートナットが不要になるため部品数が減少し、軽量化でき、また組み立て工数を削減でき、剛性の高い携帯端末機器の筐体が得られる。
【図面の簡単な説明】
【００２６】
【図１】本発明の第１実施形態に係る携帯端末機器の筐体において、数字キー側筐体の上面部を裏側から見た状態を示す模式的斜視図である。
【図２】本発明の第１実施形態に係る携帯端末機器の筐体において、数字キー側筐体のボトムケース６とモールドケース１とを締結する状態を示す模式的斜視図である。
【図３】従来の携帯端末機器の筐体を示す模式的斜視図である。
【符号の説明】
【００２７】
１  ；  モールドケース
２  ；  板金部
３  ；  板金絞り部
４  ；  樹脂部
５  ；  ネジ
６  ；  ボトムケース
１１  ；  モールドケース
１２  ；  板金部
１４  ；  樹脂部
１７  ；  ネジ止め用ボス
【図１】
2007281069.tif 000003
【図２】
2007281069.tif 000004
【図３】
2007281069.tif 000005